(57)【要約】【課題】回転式ツマミを用いて低コストで多数の項目から選択することができる電気機器を提供する。【解決手段】機能選択用ツマミの回転角度に応じて抵抗値が変化する可変抵抗器ＶＲと、可変抵抗器ＶＲの抵抗値を抵抗値に相当する電圧値に変換するＡ／Ｄ変換部２０aと、Ａ／Ｄ変換部２０aにより変換された抵抗値に相当する電圧値を記憶するための不揮発性メモリ２０bと、初期設定時に、Ａ／Ｄ変換部２０aと不揮発性メモリ２０bを制御する制御部２０とを備える。制御部２０は、Ａ／Ｄ変換部２０aと不揮発性メモリ２０bを制御することにより、機能選択用ツマミ７の選択位置毎の可変抵抗器ＶＲの抵抗値に相当する電圧値を選択位置判定値として、機能選択用ツマミ７の各選択位置に対応づけて不揮発性メモリ２０bに記憶する。【選択図】図３
2011258592.tif 000002
【特許請求の範囲】
【請求項１】
複数の選択項目に対応する複数の選択位置を有する回転式ツマミと、
上記回転式ツマミの回転角度に応じて抵抗値が変化する可変抵抗器と、
上記可変抵抗器の抵抗値を上記抵抗値に相当する数値に変換する変換部と、
上記変換部により変換された上記抵抗値に相当する数値を記憶するための記憶部と、
上記変換部と上記記憶部を制御する制御部と
を備え、
上記制御部は、上記回転式ツマミの選択位置の初期設定時に、上記変換部と上記記憶部を制御することにより、上記回転式ツマミの選択位置毎の上記可変抵抗器の抵抗値に相当する数値を選択位置判定値として、上記回転式ツマミの各選択位置に対応づけて上記記憶部に記憶することを特徴とする電気機器。
【請求項２】
請求項１に記載の電気機器において、
上記制御部は、
上記回転式ツマミの選択位置毎の上記可変抵抗器の抵抗値を上記変換部により上記抵抗値に相当する数値に変換して、
上記変換部により変換された上記回転式ツマミの選択位置毎の上記可変抵抗器の抵抗値に相当する数値を選択位置判定値として、上記回転式ツマミの各選択位置に対応づけて上記記憶部に記憶することを特徴とする電気機器。
【請求項３】
請求項１に記載の電気機器において、
上記回転式ツマミの各選択位置の上記可変抵抗器の抵抗値のうちの少なくとも３つの上記抵抗値に相当する数値および上記可変抵抗器の抵抗特性に基づいて、上記回転式ツマミの選択位置の上記可変抵抗器の抵抗値に相当する数値を推定する推定部を備え、
上記制御部は、
上記回転式ツマミの各選択位置のうちの少なくとも３つについて、上記可変抵抗器の抵抗値を上記変換部により上記抵抗値に相当する数値に変換し、
上記変換部により変換された少なくとも３つの上記可変抵抗器の抵抗値に相当する数値および上記可変抵抗器の抵抗特性に基づいて、上記変換部により上記可変抵抗器の抵抗値が変換された上記回転式ツマミの選択位置を除く残りの上記回転式ツマミの選択位置に対して上記可変抵抗器の抵抗値に相当する数値を上記推定部により推定して、
上記変換部により変換された少なくとも３つの上記抵抗値に相当する数値および上記推定部により推定された上記回転式ツマミの選択位置の上記抵抗値に相当する数値を選択位置判定値として、上記回転式ツマミの各選択位置に対応づけて上記記憶部に記憶することを特徴とする電気機器。
【請求項４】
請求項１から３までのいずれか１つに記載の電気機器において、
上記制御部は、
通常運転時に、上記回転式ツマミの回転角度に応じた上記可変抵抗器の抵抗値を上記変換部により上記抵抗値に相当する数値に変換し、
上記変換部により変換された上記可変抵抗器の抵抗値に相当する数値と、上記回転式ツマミの各選択位置に対応づけて上記記憶部に記憶された上記選択位置判定値とを比較して、上記可変抵抗器の抵抗値に相当する数値に最も近い上記選択位置判定値に対応する上記回転式ツマミの選択位置を決定することを特徴とする電気機器。
【請求項５】
請求項１から４までのいずれか１つに記載の電気機器において、
加熱運転モードまたは加熱能力の少なくとも一方を含む複数の選択項目に対応する複数の選択位置を有する上記回転式ツマミを備えた加熱調理器であることを特徴とする電気機器。
【発明の詳細な説明】
【技術分野】
【０００１】
この発明は、複数の項目の中から特定の項目を選択するための回転式ツマミを備えた電気機器に関する。
【背景技術】
【０００２】
従来、電気機器としては、多種類の調理メニュー毎にＬＥＤが設けられ、ツマミを回動することにより、各調理メニューに対応したＬＥＤが順に点灯して調理メニューの選択を行う加熱調理器がある(例えば、特開平５−３０２７２１号公報(特許文献１)参照)。
【０００３】
上記加熱調理器では、ツマミの回動操作によりパルススイッチが作動して、ツマミの回動角度に応じたパルス信号がパルススイッチから出力され、そのパルス信号に基づいてマイクロコンピュータが各調理メニューに応じた調理プログラムを実行する。
【０００４】
しかしながら、上記加熱調理器では、ツマミを回転させることにより、操作パネルの複数のＬＥＤのうちから選択された調理メニューに対応するＬＥＤが点灯するので、操作パネルに多数のＬＥＤを取り付けなければならないためにコストが高くなる。
【０００５】
そこで、複数の選択位置を有する回転式ツマミを用いて、回転式ツマミの目印などを選択位置に合わせることにより、複数の項目の中から特定の項目を選択する加熱調理器がある。
【０００６】
しかしながら、このような加熱調理器では、回転式ツマミの回転角度を検出するエンコーダを用いているので、多くの項目を選択するために回転式ツマミの段数を１０段以上にすることはコストが高くつくという問題がある。なお、回転式ツマミの回転角度を検出するエンコーダの代わりに可変抵抗器を用いて、回転式ツマミの回転角度に応じて変化する可変抵抗器の抵抗値により回転角度を検出することも考えられるが、可変抵抗器の抵抗ばらつきによる制限を受けるため、５〜６段程度の項目に限られる。
【先行技術文献】
【特許文献】
【０００７】
【特許文献１】特開平５−３０２７２１号公報
【発明の概要】
【発明が解決しようとする課題】
【０００８】
そこで、この発明の課題は、回転式ツマミを用いて低コストで多数の項目から選択することができる電気機器を提供することにある。
【課題を解決するための手段】
【０００９】
上記課題を解決するため、この発明の電気機器は、
複数の選択項目に対応する複数の選択位置を有する回転式ツマミと、
上記回転式ツマミの回転角度に応じて抵抗値が変化する可変抵抗器と、
上記可変抵抗器の抵抗値を上記抵抗値に相当する数値に変換する変換部と、
上記変換部により変換された上記抵抗値に相当する数値を記憶するための記憶部と、
上記変換部と上記記憶部を制御する制御部と
を備え、
上記制御部は、上記回転式ツマミの選択位置の初期設定時に、上記変換部と上記記憶部を制御することにより、上記回転式ツマミの選択位置毎の上記可変抵抗器の抵抗値に相当する数値を選択位置判定値として、上記回転式ツマミの各選択位置に対応づけて上記記憶部に記憶することを特徴とする。
【００１０】
上記構成によれば、回転式ツマミの選択位置の初期設定時(例えば工場出荷時)に、制御部によって、回転式ツマミの選択位置毎の可変抵抗器の抵抗値に相当する数値を選択位置判定値として、回転式ツマミの各選択位置に対応づけて記憶部に記憶する。このとき、回転式ツマミの選択位置毎の可変抵抗器の抵抗値の全部を、変換部により可変抵抗器の抵抗値に相当する数値に変換してもよいし、回転式ツマミの選択位置毎の可変抵抗器の抵抗値の一部(例えば最小値と最大値および中間値の３つの抵抗値)を、変換部により可変抵抗器の抵抗値に相当する数値に変換して、残りの回転式ツマミの選択位置の可変抵抗器の抵抗値については、変換部により得られた可変抵抗器の抵抗値に相当する数値に基づいて推定するなどしてもよい。
【００１１】
このようにして、回転式ツマミの選択位置の初期設定時に記憶部に記憶された回転式ツマミの選択位置毎の可変抵抗器の抵抗値に相当する数値を選択位置判定値として用いて、通常運転時に回転式ツマミの選択位置を決定することが可能になるので、可変抵抗器の抵抗ばらつきの影響を受けることなく、回転式ツマミを用いて低コストで多数の項目から選択することができる。
【００１２】
また、一実施形態の電気機器では、
上記制御部は、
上記回転式ツマミの選択位置毎の上記可変抵抗器の抵抗値を上記変換部により上記抵抗値に相当する数値に変換して、
上記変換部により変換された上記回転式ツマミの選択位置毎の上記可変抵抗器の抵抗値に相当する数値を選択位置判定値として、上記回転式ツマミの各選択位置に対応づけて上記記憶部に記憶する。
【００１３】
上記実施形態によれば、制御部によって、変換部により変換された回転式ツマミの選択位置毎の可変抵抗器の抵抗値に相当する数値を選択位置判定値として、回転式ツマミの各選択位置に対応づけて記憶部に記憶するので、回転式ツマミの選択位置毎に記憶部に記憶された正確な選択位置判定値に基づいて、通常運転時に回転式ツマミの選択位置を確実に決定することができる。
【００１４】
また、一実施形態の電気機器では、
上記回転式ツマミの各選択位置の上記可変抵抗器の抵抗値のうちの少なくとも３つの上記抵抗値に相当する数値および上記可変抵抗器の抵抗特性に基づいて、上記回転式ツマミの選択位置の上記可変抵抗器の抵抗値に相当する数値を推定する推定部を備え、
上記制御部は、
上記回転式ツマミの各選択位置のうちの少なくとも３つについて、上記可変抵抗器の抵抗値を上記変換部により上記抵抗値に相当する数値に変換し、
上記変換部により変換された少なくとも３つの上記可変抵抗器の抵抗値に相当する数値および上記可変抵抗器の抵抗特性に基づいて、上記変換部により上記可変抵抗器の抵抗値が変換された上記回転式ツマミの選択位置を除く残りの上記回転式ツマミの選択位置に対して上記可変抵抗器の抵抗値に相当する数値を上記推定部により推定して、
上記変換部により変換された少なくとも３つの上記抵抗値に相当する数値および上記推定部により推定された上記回転式ツマミの選択位置の上記抵抗値に相当する数値を選択位置判定値として、上記回転式ツマミの各選択位置に対応づけて上記記憶部に記憶する。
【００１５】
上記実施形態によれば、変換部により変換された少なくとも３つの回転式ツマミの選択位置の可変抵抗器の抵抗値に相当する数値および可変抵抗器の抵抗特性に基づいて、推定部により残りの回転式ツマミの選択位置の抵抗値に相当する数値を推定するので、初期設定の作業を簡略化できる。
【００１６】
また、一実施形態の電気機器では、
上記制御部は、
通常運転時に、上記回転式ツマミの回転角度に応じた上記可変抵抗器の抵抗値を上記変換部により上記抵抗値に相当する数値に変換し、
上記変換部により変換された上記可変抵抗器の抵抗値に相当する数値と、上記回転式ツマミの各選択位置に対応づけて上記記憶部に記憶された上記選択位置判定値とを比較して、上記可変抵抗器の抵抗値に相当する数値に最も近い上記選択位置判定値に対応する上記回転式ツマミの選択位置を決定する。
【００１７】
上記実施形態によれば、初期設定時に記憶部に記憶された選択位置判定値(回転式ツマミの選択位置毎の可変抵抗器の抵抗値に相当する数値)を用いて、可変抵抗器の抵抗ばらつきの影響を受けることなく、通常運転時に回転式ツマミの選択位置を容易に決定することができる。
【００１８】
また、一実施形態の電気機器では、
加熱運転モードまたは加熱能力の少なくとも一方を含む複数の選択項目に対応する複数の選択位置を有する上記回転式ツマミを備えた加熱調理器である。
【００１９】
上記実施形態によれば、多くの項目を選択するために回転式ツマミの段数を１０段以上にすることが可能な加熱調理器を低コストで実現できる。
【発明の効果】
【００２０】
以上より明らかなように、この発明の電気機器によれば、回転式ツマミを用いて低コストで多数の項目から選択することが可能な電気機器を実現することができる。
【図面の簡単な説明】
【００２１】
【図１】図１はこの発明の電気機器の実施の一形態の加熱調理器の斜視図である。
【図２】図２は上記加熱調理器の機能選択用ツマミと操作パネルの要部の拡大図である。
【図３】図３は上記加熱調理器の制御ブロック図である。
【図４】図４は上記加熱調理器の機能選択用ツマミに同軸に連結された可変抵抗器の模式図である。
【図５】図５は上記加熱調理器の機能選択用ツマミの回転角度と出力される電圧との関係を示す図である。
【図６】図６は上記加熱調理器の初期設定時の制御部の動作を説明するためのフローチャートである。
【図７】図７は上記加熱調理器の運転時の制御部の動作を説明するためのフローチャートである。
【発明を実施するための形態】
【００２２】
以下、この発明の電気機器を図示の実施の形態により詳細に説明する。
【００２３】
図１はこの発明の電気機器の実施の一形態の加熱調理器の斜視図を示している。
【００２４】
この実施の形態の加熱調理器は、図１に示すように、直方体形状のケーシング１の正面に、左端側の辺を略中心に回動する扉２が取り付けられている。この扉２の右側部にハンドル３を取り付けると共に、扉２の略中央に耐熱ガラス４を取り付けている。また、ケーシング１の前面右側に操作パネル５を設けている。この操作パネル５は、タイマ用ツマミ６と、回転式ツマミの一例としての機能選択用ツマミ７を有している。
【００２５】
この加熱調理器は、扉２により開口部１０aが開閉される加熱室１０をケーシング１内に配置している。そして、加熱室１０内の底部に、載置された被加熱物を回転させるターンテーブル１１を配置している。また、加熱室１０内の上部に、被加熱物を加熱するためのヒータ２１を配置すると共に、ケーシング１内かつ加熱室１０の側方に、被加熱物を加熱するためのマイクロ波を発生するマグネトロン２２を配置している。
【００２６】
また、図２は上記加熱調理器の機能選択用ツマミ７と操作パネル５の要部の拡大図を示している。図２に示すように、機能選択用ツマミ７は、１３段の選択位置を有し、機能選択用ツマミ７を回転させることにより矢印部７aが各選択位置に停止する。
【００２７】
機能選択用ツマミ７の矢印部７aが最上部の選択位置「オフ」に停止しているとき、この加熱調理器は運転動作を行わない。
【００２８】
そして、機能選択用ツマミ７を時計回りに回転させることにより、矢印部７aを以下の順に選択位置に停止し、加熱運転モードおよび加熱能力が選択される。
「オフ」              ：  停止
「ヒータ」            ：  ヒータ２１による加熱
「ヒータ＋７００Ｗ」  ：  ヒータ２１とマイクロ波(700W)による加熱
「ヒータ＋５００Ｗ」  ：  ヒータ２１とマイクロ波(500W)による加熱
「ヒータ＋３００Ｗ」  ：  ヒータ２１とマイクロ波(300W)による加熱
「ヒータ＋１００Ｗ」  ：  ヒータ２１とマイクロ波(100W)による加熱
「ヒータ＋５０Ｗ」    ：  ヒータ２１とマイクロ波(50W)による加熱
「５０Ｗ」            ：  マイクロ波(50W)による加熱
「１００Ｗ」          ：  マイクロ波(100W)による加熱
「２００Ｗ」          ：  マイクロ波(200W)による加熱
「４００Ｗ」          ：  マイクロ波(400W)による加熱
「６００Ｗ」          ：  マイクロ波(600W)による加熱
「８００Ｗ」          ：  マイクロ波(800W)による加熱
【００２９】
また、この実施の形態では、タイマ用ツマミ６は、例えば、最初の１分は２０秒刻み、１分〜５分は３０秒刻み、５分〜１０分は１分刻みで最大１０分まで加熱時間を選択できるようになっている。なお、加熱時間の設定方法はこれに限らず、押ボタンなどの操作を組み合わせた他の設定方法であってもよい。
【００３０】
また、図３は上記加熱調理器の制御ブロック図を示している。
【００３１】
この加熱調理器は、図３に示すように、マイクロコンピュータと入出力回路などからなる制御部２０を備えている。この制御部２０は、ヒータ２１,マグネトロン２２,ターンテーブル用モータ２３,操作パネル５および庫内温度センサ１１が接続されている。また、制御部２０は、機能選択用ツマミ７の回転角度に応じて抵抗値が変化する可変抵抗器ＶＲからの電圧信号が入力されている。そして、操作パネル５からの信号と庫内温度センサ１１からの検出信号および可変抵抗器ＶＲからの電圧信号に基づいて、制御部２０は、ヒータ２１,マグネトロン２２,ターンテーブル用モータ２３などを制御する。
【００３２】
なお、制御部２０は、可変抵抗器ＶＲからの電圧信号を電圧値に変換する変換部の一例としてのＡ／Ｄ変換部２０aと、その変換部２０aにより変換された電圧値を記憶するための記憶部の一例としての不揮発性メモリ２０bとを有する。
【００３３】
図４は上記加熱調理器の機能選択用ツマミ７に同軸に連結された可変抵抗器ＶＲの模式図を示し、図５は機能選択用ツマミ７の回転角度と出力される電圧との関係を示している。この実施の形態では、機能選択用ツマミ７の抵抗特性は、機能選択用ツマミ７の回転角度が大きくなるに従って特性曲線の傾きが小さくなる二次曲線で表される。
【００３４】
図４に示すように、可変抵抗器ＶＲの一端がグランドに接続され、他端が基準電圧に接続されている。また、図５に示すように、機能選択用ツマミ７の各選択位置Ｒ１,〜,Ｒ６,〜,Ｒ１３に対応する電圧値Ｖ１,〜,Ｖ６,〜,Ｖ１３の電圧信号が出力される。この実施の形態では、機能選択用ツマミ７の各選択位置は、次のとおりである。
「オフ」              ：  選択位置Ｒ１
「ヒータ」            ：  選択位置Ｒ２
「ヒータ＋７００Ｗ」  ：  選択位置Ｒ３
「ヒータ＋５００Ｗ」  ：  選択位置Ｒ４
「ヒータ＋３００Ｗ」  ：  選択位置Ｒ５
「ヒータ＋１００Ｗ」  ：  選択位置Ｒ６
「ヒータ＋５０Ｗ」    ：  選択位置Ｒ７
「５０Ｗ」            ：  選択位置Ｒ８
「１００Ｗ」          ：  選択位置Ｒ９
「２００Ｗ」          ：  選択位置Ｒ１０
「４００Ｗ」          ：  選択位置Ｒ１１
「６００Ｗ」          ：  選択位置Ｒ１２
「８００Ｗ」          ：  選択位置Ｒ１３
【００３５】
図６は上記加熱調理器の初期設定時の制御部２０の動作を説明するためのフローチャートを示している。
【００３６】
まず、処理がスタートすると、ステップＳ１においてＰ(正の整数)を１とする。このときの機能選択用ツマミ７の選択位置はＲ１とする。
【００３７】
次に、ステップＳ２に進み、可変抵抗器ＶＲからの電圧値を取得する。すなわち、可変抵抗器ＶＲからの電圧信号をＡ／Ｄ変換部２０aによりＡ／Ｄ変換して、可変抵抗器ＶＲの抵抗値に相当する電圧値に変換する。ここで、可変抵抗器ＶＲの抵抗値に相当する電圧値は、可変抵抗器ＶＲの抵抗値に相当する数値の一例であり、他の数値で表してもよい。
【００３８】
次に、ステップＳ３に進み、ステップＳ２で得られた電圧値を不揮発性メモリ２０bに割り当てられた配列Ｍ(P)に記憶する(P=1〜13)。
【００３９】
次に、ステップＳ４に進み、可変抵抗器ＶＲからの電圧値を取得する。
【００４０】
そして、ステップＳ５に進み、電圧値が変化したか否かを判定して、電圧値が変化したと判定すると、ステップＳ６に進む一方、電圧値が変化していないと判定すると、ステップＳ４に戻る。
【００４１】
そして、ステップＳ６では、Ｐの内容をインクリメント(１を加える)する。
【００４２】
次に、ステップＳ７に進み、ステップＳ４で得られた電圧値を不揮発性メモリ２０bに割り当てられた配列Ｍ(P)に記憶する(P=2〜13)。
【００４３】
次に、ステップＳ８に進み、Ｐ＝１３か否かを判定して、Ｐ＝１３でないときは、ステップＳ４に戻ってステップＳ４〜Ｓ８を繰り返す一方、Ｐ＝１３のときはこの処理を終了する。
【００４４】
このようにして、例えば工場出荷時に、機能選択用ツマミ７を選択位置Ｒ１(「オフ」)から順番に時計回りに回して、各選択位置Ｒ２〜Ｒ１３で一旦止めることにより、機能選択用ツマミ７の選択位置毎の可変抵抗器ＶＲの抵抗値に相当する電圧値を選択位置判定値として、機能選択用ツマミ７の各選択位置に対応づけて不揮発性メモリ２０bの配列Ｍ(P)に記憶する。
【００４５】
図７は上記加熱調理器の運転時の制御部２０の動作を説明するためのフローチャートを示している。
【００４６】
図７に示すように、処理がスタートすると、ステップＳ１１においてＰを１とする。
【００４７】
次に、ステップＳ１２に進み、可変抵抗器ＶＲからの電圧値Ｂを取得する。
【００４８】
次に、ステップＳ１３に進み、
|Ｂ−Ｍ(P)| ＜ |Ｂ−Ｍ(P+1)|
の条件を満たすか否かを判断して、上記条件を満たさないときは、ステップＳ１４に進み、Ｐの内容をインクリメントして、ステップＳ１３に戻る。
【００４９】
一方、ステップＳ１３で上記条件を満たすときは、ステップＳ１５に進み、Ｐを確定して、この処理を終了する。
【００５０】
そして、得られたＰの内容に対応する機能選択用ツマミ７の選択位置に基づいて、選択された加熱運転モードおよび加熱能力で加熱調理を行う。すなわち、Ｐ＝１のときは機能選択用ツマミ７の選択位置はＲ１となり、Ｐ＝６のときは機能選択用ツマミ７の選択位置はＲ６となり、Ｐ＝１３のときは、機能選択用ツマミ７の選択位置はＲ１３となる。
【００５１】
上記構成の加熱調理器によれば、機能選択用ツマミ７の選択位置の初期設定時、制御部２０によって、機能選択用ツマミ７の選択位置毎の可変抵抗器ＶＲの抵抗値に相当する電圧値を選択位置判定値として、機能選択用ツマミ７の各選択位置に対応づけて不揮発性メモリ２０bに記憶する。これにより、初期設定時に不揮発性メモリ２０bに記憶された選択位置判定値(機能選択用ツマミ７の選択位置毎の可変抵抗器ＶＲの抵抗値に相当する電圧値)を用いて、可変抵抗器ＶＲの抵抗ばらつきの影響を受けることなく、通常運転時に機能選択用ツマミ７の選択位置を容易に決定することができる。
【００５２】
したがって、可変抵抗器ＶＲの抵抗ばらつきの影響を受けることなく、機能選択用ツマミ７を用いて低コストで多数の項目から選択することができる。
【００５３】
また、上記制御部２０によって、Ａ／Ｄ変換部２０aにより変換された機能選択用ツマミ７の選択位置毎の可変抵抗器ＶＲの抵抗値に相当する電圧値を選択位置判定値として、機能選択用ツマミ７の各選択位置に対応づけて不揮発性メモリ２０bに記憶するので、機能選択用ツマミ７の選択位置毎に不揮発性メモリ２０bに記憶された正確な選択位置判定値に基づいて、通常運転時に機能選択用ツマミ７の選択位置を確実に決定することができる。
【００５４】
なお、機能選択用ツマミ７の選択位置毎の可変抵抗器ＶＲの抵抗値の全部をＡ／Ｄ変換部２０aにより電圧値に変換して不揮発性メモリ２０bに記憶するものに限らず、変換部により変換された少なくとも３つの回転式ツマミの選択位置の抵抗値に相当する数値(例えば電圧値)および可変抵抗器の抵抗特性に基づいて、回転式ツマミの選択位置の可変抵抗器の抵抗値に相当する数値(例えば電圧値)を推定する推定部を備えてもよい。この場合、回転式ツマミの選択位置の初期設定時の作業を簡略化することができる。
【００５５】
また、上記実施の形態によれば、多くの項目を選択するために機能選択用ツマミ７の段数を１０段以上にすることが可能な加熱調理器を低コストで実現することができる。
【００５６】
上記実施の形態の加熱調理器では、記憶部として不揮発性メモリ２０bを有する制御部２０を備えた加熱調理器について説明したが、制御部とは別に記憶部を備えたものでもよい。
【００５７】
また、上記実施の形態では、電気機器の一例としての加熱調理器について説明したが、この発明の電気機器は加熱調理器に限らず、多くの項目を選択するための回転式ツマミを備えた他の装置にこの発明を適用してもよい。
【００５８】
この発明の具体的な実施の形態について説明したが、この発明は上記実施の形態に限定されるものではなく、この発明の範囲内で種々変更して実施することができる。
【符号の説明】
【００５９】
１…ケーシング
２…扉
３…ハンドル
４…耐熱ガラス
５…操作パネル
６…タイマ用ツマミ
７…機能選択用ツマミ
１０…加熱室
１０a…開口部
１１…庫内温度センサ
２０…制御部
２０a…Ａ／Ｄ変換部
２０b…不揮発性メモリ
２１…マグネトロン
２２…ターンテーブル用モータ
ＶＲ…可変抵抗器
【図１】
2011258592.tif 000003
【図２】
2011258592.tif 000004
【図３】
2011258592.tif 000005
【図４】
2011258592.tif 000006
【図５】
2011258592.tif 000007
【図６】
2011258592.tif 000008
【図７】
2011258592.tif 000009